【手続補正書】
【提出日】令和3年10月22日(2021.10.22)
【手続補正１】
【補正対象書類名】特許請求の範囲
【補正対象項目名】全文
【補正方法】変更
【補正の内容】
【特許請求の範囲】
【請求項１】
メインストリームに関連付けられたパケットと補助ストリームに関連付けられたパケットとを含む統合パケット化メディアビットストリームを受信するよう構成される受信機であって、前記メインストリームは、MHASフォーマットのパケットとしてカプセル化されたMPEG−H  3Dオーディオデータを含み、前記補助ストリームは前記MHASフォーマットのパケットとしてカプセル化された追加オーディオデータを含み、前記補助ストリームに関連付けられたパケットのパケットペイロードのフォーマットは、前記MPEG−H  3Dオーディオフォーマットと異なり、前記MHASフォーマットの時間オフセットパケットは、前記メインストリームに対する前記補助ストリームの時間オフセットの指示をシグナリングし、前記時間オフセットパケットの前記追加オーディオデータを運ぶMHASパケットと同じパケットラベル番号を割り当てられている、受信機と、
前記統合パケット化メディアビットストリームの中のパケットのヘッダにカプセル化されたパケットタイプを識別するよう構成され、前記パケットタイプの識別に基づき、前記統合パケット化メディアビットストリームを前記メインストリームと前記補助ストリームとに分離するよう構成されるスプリッタであって、前記補助ストリームに関連付けられたパケットのパケットタイプは、パケットヘッダにカプセル化された新しいMHASパケットタイプであり、前記新しいMHASパケットタイプは、MHASパケットと異なる、スプリッタと、
前記シグナリングされた時間オフセットに基づき、前記追加オーディオデータを前記メインオーディオデータと時間整合させる時間整合ユニットと、
を含む機器。
【請求項２】
前記機器は、前記MPEG−H  3Dオーディオフォーマットに従い前記メインストリームを復号するよう構成される一次デコーダを更に含む、請求項1に記載の機器。
【請求項３】
前記補助ストリームに関連付けられた前記パケットは、パケットペイロードのフォーマットを識別するサブヘッダを含む、請求項1に記載の機器。
【請求項４】
前記機器は、前記スプリッタから前記補助ストリームを受信しおよび前記MPEG−H  3Dオーディオフォーマットと異なる前記フォーマットに従い前記補助ストリームを復号するよう構成される二次デコーダを更に含む、請求項1に記載の機器。
【請求項５】
前記メインストリームおよび補助ストリームから取得される出力信号は、視聴者に同時に出力される、請求項1に記載の機器。
【請求項６】
メインストリームに関連付けられたパケットと補助ストリームに関連付けられたパケットとを含む統合パケット化メディアビットストリームを受信するステップであって、前記メインストリームは、MHASフォーマットのパケットとしてカプセル化されたMPEG−H  3Dオーディオデータを含み、前記補助ストリームは前記MHASフォーマットのパケットとしてカプセル化された追加オーディオデータを含み、前記補助ストリームに関連付けられたパケットのパケットペイロードのフォーマットは、前記MPEG−H  3Dオーディオフォーマットと異なり、前記MHASフォーマットの時間オフセットパケットは、前記メインストリームに対する前記補助ストリームの時間オフセットの指示をシグナリングし、前記時間オフセットパケットの前記追加オーディオデータを運ぶMHASパケットと同じパケットラベル番号を割り当てられている、ステップと、
前記統合パケット化メディアビットストリームの中のパケットのヘッダにカプセル化されたパケットタイプを識別するステップと、
前記パケットタイプの識別に基づき、前記統合パケット化メディアビットストリームを前記メインストリームと前記補助ストリームとに分離するステップであって、前記補助ストリームに関連付けられたパケットのパケットタイプは、パケットヘッダにカプセル化された新しいMHASパケットタイプであり、前記新しいMHASパケットタイプは、MHASパケットと異なる、ステップと、
前記シグナリングされた時間オフセットに基づき、前記追加オーディオデータを前記メインオーディオデータと時間整合させるステップと、
を含む方法。
【請求項７】
前記方法は、一次デコーダにより、前記統合パケット化メディアビットストリームから分離された前記メインストリームを、前記MPEG−H  3Dオーディオフォーマットに従い復号するステップ、を更に含む請求項6に記載の方法。
【請求項８】
前記補助ストリームに関連付けられた前記パケットは、パケットペイロードのフォーマットを識別するサブヘッダを含む、請求項6に記載の方法。
【請求項９】
前記方法は、二次デコーダにより、前記統合パケット化メディアビットストリームから分離された前記補助ストリームを、前記MPEG−H  3Dオーディオフォーマットと異なる前記フォーマットに従い復号するステップを更に含む、請求項6に記載の方法。
【請求項１０】
前記方法は、前記メインストリームおよび補助ストリームから取得される信号を、視聴者に同時に出力するステップ、を更に含む請求項6に記載の方法。
【請求項１１】
MHASフォーマットのパケットとしてカプセル化されたメインMPEG−H  3Dオーディオデータを有する統合パケット化メディアビットストリームのメインストリームに関連付けられたパケットに基づき、オーディオデータを生成するよう構成されるMPEG−H  3D  Audio  Coreデコーダと、
前記統合パケット化メディアビットストリームの補助ストリームに関連付けられたパケットとしてカプセル化された追加オーディオデータに対して、パケットタイプの識別に基づき、フォーマット変換を実行するよう構成されるフォーマット変換ユニットであって、前記パケットは前記パケットのヘッダにカプセル化された新しいMHASパケットタイプのものである、フォーマット変換ユニットであって、前記新しいMHASパケットタイプはMHASフォーマットと異なる、フォーマット変換ユニットと、
前記パケットにカプセル化された前記追加オーディオデータのサンプルレートを変換するよう構成されるサンプルレート変換器と、
任意的に、前記MPEG−H  3D  Audio  Coreデコーダにより生成されたオーディオデータと前記サンプルレート変換器により出力された前記オーディオデータとをミキシングするよう構成されるミキサと、
を含む、機器。
【請求項１２】
MHASフォーマットのパケットとしてカプセル化されたメインMPEG−H  3Dオーディオデータを有する統合パケット化メディアビットストリームのメインストリームに関連付けられたパケットに基づき、オーディオデータを生成するよう構成されるMPEG−H  3D  Audio  Coreデコーダと、
追加デコーダであって、前記統合パケット化メディアビットストリームの補助ストリームに関連付けられたパケットとしてカプセル化された追加オーディオデータを、パケットのヘッダにカプセル化されたパケットタイプの識別に基づき復号する手段であって、前記パケットタイプは、MHASフォーマットと異なる新しいMHASタイプであり、標準化されたMPEG−H  3D  Audio  Coreデコーダにより復号できず、パケットペイロードのフォーマットを示す、手段を含む、追加デコーダと、
前記パケットにカプセル化された追加オーディオデータに対してフォーマット変換を実行するよう構成されるフォーマット変換ユニットと、
前記パケットにカプセル化された前記追加オーディオデータのサンプルレートを変換するよう構成されるサンプルレート変換器と、
任意的に、前記MPEG−H  3D  Audio  Coreデコーダにより生成されたオーディオデータと前記サンプルレート変換器により出力された前記オーディオデータとをミキシングするよう構成されるミキサと、
を含む、機器。
【請求項１３】
前記追加デコーダは、前記メインストリームと前記補助ストリームとのミキシングに関する情報を受信するよう更に構成される、請求項12に記載の機器。
【請求項１４】
前記ミキシングに関する情報は、前記追加オーディオデータの利得調整を実行するための静的利得または動的利得のうちの少なくとも一方に関連する、請求項13に記載の機器。
【請求項１５】
前記MHASフォーマットはISO/IEC  23008−3標準と互換性がある、請求項1に記載の機器。
【請求項１６】
前記MHASフォーマットはISO/IEC  23008−3標準と互換性がある、請求項6に記載の方法。
【請求項１７】
前記MHASフォーマットはISO/IEC  23008−3標準と互換性がある、請求項11に記載の機器。
【請求項１８】
前記MHASフォーマットはISO/IEC  23008−3標準と互換性がある、請求項12に記載の機器。